(57)【特許請求の範囲】
【請求項１】
第１雄ネジを備えた第１ロッド部と、前記第１雄ネジとは逆向きの第２雄ネジを備えた第２ロッド部と、前記第１雄ネジに螺合する第１雌ネジ及び前記第２雄ネジに螺合する第２雌ネジを備えた中間ロッド部とを備えると共に、
前記中間ロッド部における前記第１ロッド部側端部の外周部分に固定されたリングギヤ部と、前記中間ロッド部における前記リングギヤ部のボス部外周部分に回転自在に外嵌された操作部と、前記中間ロッド部の長手方向に沿う軸芯と平行な軸芯周りで揺動自在に前記操作部に支持されて前記リングギヤ部に係合するラチェット爪と、前記ラチェット爪をリングギヤ部への係合側に付勢するもので前記操作部に支持されるバネとを備え、
前記操作部における前記中間ロッド部の長手方向における第２ロッド部側に向いた支持板面であって、中間ロッド部の径方向外方における操作部の外側板面よりも外方に出ない中心側よりにブラケットを取り付け、このブラケットに操作ハンド部を前記中間ロッド部の長手方向と交差する外方に向いた操作姿勢、及び前記中間ロッド部の第２ロッド部側に向かう長手方向に沿った格納姿勢に変更自在に備え、
前記操作部には、中間ロッド部の長手方向で前記リングギヤ部を挟む一対の支持板を備え、前記ラチェット爪には、前記支持板に支持され、且つ、操作部に対して揺動自在に支持された前記軸芯と前記中間ロッド部の軸芯とを結ぶ線分を挟んで両側に形成された一対の爪部と、前記支持板よりも外方に突出させた一対の操作アームと、前記バネに付勢される接当部とを備え、
前記バネは、その両端が保持された状態で中間部で前記ラチェット爪の接当部を付勢して前記爪部をリングギヤ部に係合させるとともに、前記操作アームは、リングギヤ部と係合していたラチェット爪の一方の爪部の係合を離脱させて他方の爪部をリングギヤ部に係合させることによりリングギヤ部と係合する爪部が前記バネの付勢力によりリングギヤ部と係合する側に付勢されるように切換え操作自在に構成してあり、
前記操作姿勢の操作ハンド部を前記中間ロッド部周りに往復操作することにより、前記ラチェット爪の前記バネで付勢された側の爪部が前記リングギヤ部に係合し、前記第１及び第２ロッド部に対して前記中間ロッド部が回転操作されて、前記中間ロッド部に対し前記第１及び第２ロッド部が互いに逆向きに移動し、前記第１及び第２ロッド部の間隔が変更操作されるように構成してある伸縮ロッド。
【請求項２】
前記操作ハンド部を格納姿勢で保持する保持部を備えてある請求項１記載の伸縮ロッド。
【請求項３】
前記バネを板バネで構成してある請求項１又は２記載の伸縮ロッド。
【請求項４】
板バネで構成された前記バネを、前記ラチェット爪に直接に接当させてある請求項３記載の伸縮ロッド。
【請求項５】
前記操作部を前記中間ロッド部の長手方向に沿った分割面で連結及び分離自在に構成してある請求項１〜４のうちのいずれか一つに記載の伸縮ロッド。
【請求項６】
前記リングギヤ部及びラチェット爪へのゴミ等の付着を防止するカバーを備えてある請求項１〜５のうちのいずれか一つに記載の伸縮ロッド。
【発明の詳細な説明】
【０００１】
【発明の属する技術分野】
本発明は、第１雄ネジを備えた第１ロッド部、第１雄ネジとは逆向きの第２雄ネジを備えた第２ロッド部、第１雄ネジに螺合する第１雌ネジ及び第２雄ネジに螺合する第２雌ネジを備えた中間ロッド部を備えて構成された伸縮ロッドに関する。
【０００２】
【従来の技術】
前述のように第１及び第２ロッド部、中間ロッド部を備えて構成された伸縮ロッドの一例が、実公平７−３７４４８号公報に開示されている。この伸縮ロッドは、中間ロッド部の外周部分に固定されたリングギヤ部（前記公報の第１図及び第２図中の４）、中間ロッド部におけるリングギヤ部の部分に相対回転自在に外嵌された操作部（前記公報の第１図及び第２図中の５）、操作部に揺動自在に支持されたラチェット爪（前記公報の第１図及び第２図中の６，６’）、並びに操作部に支持された操作ハンド部（前記公報の第１図及び第２図中の７）を備えて構成されている。
【０００３】
これにより、操作ハンド部を中間ロッド部周りに往復操作することによって、ラチェット爪がリングギヤ部に係合及び離間し、第１及び第２ロッド部に対して中間ロッド部が回転操作されて、中間ロッド部に対し第１及び第２ロッド部が互いに逆向きに移動し、第１及び第２ロッドの間隔が変更操作される。
【０００４】
【発明が解決しようとする課題】
従来の技術に記載の構造では、ラチェット爪（前記公報の第１図及び第２図中の６，６’）を支持する操作部（前記公報の第１図及び第２図中の５）に、操作ハンド部が支持されており、操作ハンド部が中間ロッド部の長手方向と交差する外方に向いた操作姿勢（前記公報の第１図中の７の実線参照）、及び中間ロッド部の長手方向に沿った格納姿勢（前記公報の第１図中の７の二点鎖線参照）に変更自在に構成されている。
【０００５】
この場合、操作ハンド部を操作及び格納姿勢に変更自在に支持する支持ピン（前記公報の第２図中の５ｂ）、及びラチェット爪（前記公報の第１図及び第２図中の６，６’）が、操作部（前記公報の第１図及び第２図中の５）において、中間ロッド部の半径方向（前記公報の第１図及び第２図の紙面左右方向）に沿って並べて配置されている（ラチェット爪が内側で、支持ピンが外側）。従って、中間ロッド部から半径方向の外方に操作部が突出する状態となって、操作部付近が大型化する傾向にある。
【０００６】
従来の技術に記載の伸縮ロッドは、農用トラクタのリンク機構におけるリフトロッド（前記公報の第４図及び第５図参照）として使用されることがあり、リンク機構が昇降駆動されるのに伴って伸縮ロッドも上下移動する。これにより、前述のように操作部が半径方向の外方に突出する状態になっていると、リンク機構が昇降駆動されるのに伴って伸縮ロッドが上下移動した際、操作部が農用トラクタの他の部分に接触するおそれが生じてくる。従って、半径方向の外方に突出する操作部が他の部分に接触しないような構成のものにしか、伸縮ロッドを装備することができなくなるので、伸縮ロッドの汎用性が低下するものとなる。
本発明は第１及び第２ロッド部、中間ロッド部を備えて構成された伸縮ロッドにおいて、ラチェット爪及び操作ハンド部を支持して中間ロッド部を回転操作する操作部の小型化を図ることを目的としている。
【０００７】
【課題を解決するための手段】
［Ｉ］
請求項１の特徴によると、第１雄ネジを備えた第１ロッド部と、前記第１雄ネジとは逆向きの第２雄ネジを備えた第２ロッド部と、前記第１雄ネジに螺合する第１雌ネジ及び前記第２雄ネジに螺合する第２雌ネジを備えた中間ロッド部とを備えると共に、
前記中間ロッド部における前記第１ロッド部側端部の外周部分に固定されたリングギヤ部と、前記中間ロッド部における前記リングギヤ部のボス部外周部分に回転自在に外嵌された操作部と、前記中間ロッド部の長手方向に沿う軸芯と平行な軸芯周りで揺動自在に前記操作部に支持されて前記リングギヤ部に係合するラチェット爪と、前記ラチェット爪をリングギヤ部への係合側に付勢するもので前記操作部に支持されるバネとを備え、
前記操作部における前記中間ロッド部の長手方向における第２ロッド部側に向いた支持板面であって、中間ロッド部の径方向外方における操作部の外側板面よりも外方に出ない中心側よりにブラケットを取り付け、このブラケットに操作ハンド部を前記中間ロッド部の長手方向と交差する外方に向いた操作姿勢、及び前記中間ロッド部の第２ロッド部側に向かう長手方向に沿った格納姿勢に変更自在に備え、
前記操作部には、中間ロッド部の長手方向で前記リングギヤ部を挟む一対の支持板を備え、前記ラチェット爪には、前記支持板に支持され、且つ、操作部に対して揺動自在に支持された前記軸芯と前記中間ロッド部の軸芯とを結ぶ線分を挟んで両側に形成された一対の爪部と、前記支持板よりも外方に突出させた一対の操作アームと、前記バネに付勢される接当部とを備え、
前記バネは、その両端が保持された状態で中間部で前記ラチェット爪の接当部を付勢して前記爪部をリングギヤ部に係合させるとともに、前記操作アームは、リングギヤ部と係合していたラチェット爪の一方の爪部の係合を離脱させて他方の爪部をリングギヤ部に係合させることによりリングギヤ部と係合する爪部が前記バネの付勢力によりリングギヤ部と係合する側に付勢されるように切換え操作自在に構成してあり、
前記操作姿勢の操作ハンド部を前記中間ロッド部周りに往復操作することにより、前記ラチェット爪の前記バネで付勢された側の爪部が前記リングギヤ部に係合し、前記第１及び第２ロッド部に対して前記中間ロッド部が回転操作されて、前記中間ロッド部に対し前記第１及び第２ロッド部が互いに逆向きに移動し、前記第１及び第２ロッド部の間隔が変更操作されるように構成してある。
【０００８】
これにより、従来の技術の構造のように、操作部においてラチェット爪と操作ハンド部の基部とが中間ロッド部の半径方向に並ぶと言う状態にはならず、請求項１の特徴によると、操作部においてラチェット爪と操作ハンド部の基部とが中間ロッド部の長手方向に沿って並ぶと言う状態となるのであり、操作ハンド部の基部が中間ロッド部から半径方向の外方に突出すると言うような状態にはならない。
【０００９】
請求項１の特徴のように、操作部においてラチェット爪と操作ハンド部の基部とが中間ロッド部の長手方向に沿って並ぶと言う状態になった場合、操作ハンド部の基部が中間ロッド部の外面に接近するので、操作ハンド部を中間ロッド部の長手方向に沿った格納姿勢に変更した際、操作ハンド部の全体を中間ロッド部（又は第１ロッド部、又は第２ロッド部）に接近させることができる。
【００１０】
請求項１の特徴によると、操作ハンド部を格納姿勢に設定した場合、操作ハンド部の全体が中間ロッド部に接近した状態となるのであり、操作ハンド部が中間ロッド部の長手方向の範囲に入る状態になるか、操作ハンド部が中間ロッド部の長手方向の範囲から出ても操作ハンド部が大きく出る状態にはならない。
【００１１】
［ＩＩ］
請求項２の特徴によると、請求項１の場合と同様に前項［Ｉ］に記載の「作用」を備えており、これに加えて以下のような「作用」を備えている。
請求項２の特徴によると、操作ハンド部を格納姿勢で保持する保持部を備えているので、格納姿勢の操作ハンド部を保持部に保持させておくことにより、操作ハンド部が格納姿勢から操作姿勢側に動くと言うような状態を防止することができる。
【００１２】
［ＩＩＩ］
請求項３の特徴によると、請求項１又は２の場合と同様に前項［Ｉ］〜［ＩＩ］に記載の「作用」を備えており、これに加えて以下のような「作用」を備えている。
操作部のラチェット爪をリングギヤ部への係合側に付勢するバネを操作部に備える場合、バネをコイルスプリングによって構成すると、バネ（コイルスプリング）を配置する為に大きなスペースが必要になって、操作部が大型化することがある。
【００１３】
請求項３の特徴によると、操作部のラチェット爪をリングギヤ部への係合側に付勢するバネが、板バネによって構成されている。この場合、板バネは薄いものであり、配置の為に大きなスペースを必要としないので、請求項４の特徴のように操作部のラチェット爪をリングギヤ部への係合側に付勢するバネを、板バネによって構成すれば、バネ（板バネ）を操作部に備えても、操作部が大型化することはない。
【００１４】
［ＩＶ］
請求項４の特徴によると、請求項３の場合と同様に前項［Ｉ］〜［ＩＩＩ］に記載の「作用」を備えておりこれに加えて以下のような「作用」を備えている。
操作部のラチェット爪をリングギヤ部への係合側に付勢するバネが、板バネによって構成された場合、請求項５の特徴によると、バネ（板バネ）がラチェット爪に直接に接当して、ラチェット爪をリングギヤ部への係合側に付勢しているので、バネ（板バネ）とラチェット爪とを連係するような連係部材を備える必要がない。
【００１５】
［Ｖ］
請求項５の特徴によると、請求項１〜４のうちのいずれか一つの場合と同様に前項［Ｉ］〜［ＩＶ］に記載の「作用」を備えており、これに加えて以下のような「作用」を備えている。
請求項５の特徴によると、操作部が中間ロッド部の長手方向に沿った分割面で連結及び分離自在に構成されており、前述の分割面で操作部を分離することによって、中間ロッド部から操作部を容易に離すことができる。
【００１６】
［ＶＩ］
請求項６の特徴によると、請求項１〜５のうちのいずれか一つの場合と同様に前項［Ｉ］〜［Ｖ］に記載の「作用」を備えており、これに加えて以下のような「作用」を備えている。
請求項６の特徴によると、リングギヤ部及びラチェット爪へのゴミ等の付着を防止するカバーを備えているので、リングギヤ部やラチェット爪にゴミ等が付着して、操作ハンド部による中間ロッド部の回転操作に支障を来すと言う状態が防止される。
【００１７】
【発明の実施の形態】
図１及び図２に、伸縮ロッドの全体が示されている。板材をＵ字状に折り曲げて構成された連結金具１ａ、連結金具１ａに溶接によって連結された丸棒状のロッド１ｂ、及びロッド１ｂの外面に形成された第１雄ネジ１ｃ（右ネジ）によって第１ロッド部１が構成されており、第１雄ネジ１ｃに防錆用のメッキ処理が施されている。板材をＵ字状に折り曲げて構成された連結金具２ａ、連結金具２ａに溶接によって連結された丸棒状のロッド２ｂ、及びロッド２ｂの外面に形成された第２雄ネジ２ｃ（左ネジ）によって第２ロッド部２が構成されており、第２雄ネジ２ｃに防錆用のメッキ処理が施されている。
【００１８】
図１及び図２に示すように、丸パイプの両端部を細く絞って中間ロッド部３が構成され、中間ロッド部３の一方の端部の内面に第１雌ネジ３ａ（右ネジ）が形成されて、中間ロッド部３の他方の端部の内面に第２雌ネジ３ｂ（左ネジ）が形成されおり、第１及び第２雌ネジ３ａ，３ｂに防錆用のメッキ処理が施されている。第１ロッド部１の第１雄ネジ１ｃと中間ロッド部３の第１雌ネジ３ａとが螺合し、第２ロッド部２の第２雄ネジ２ｃと中間ロッド部３の第２雌ネジ３ｂとが螺合している。この状態で中間ロッド部３の内部にグリスが充填されており、グリスを補充する為のグリスニップル４が中間ロッド部３に備えられている。
【００１９】
以上の構造により、伸縮ロッドを一方の部材と他方の部材とに亘って接続した状態（第１ロッド部１が一方の部材に接続され、第２ロッド部２が他方の部材に接続されて、第１及び第２ロッド部１，２が回転しない状態）において、中間ロッド部３を第１及び第２ロッド部１，２に対して回転操作すると、右及び左ネジの作用により、中間ロッド部３に対し第１及び第２ロッド部１，２が互いに逆向きに移動して、第１及び第２ロッド部１，２の間隔（伸縮ロッドの長さ）が変更操作される。
【００２０】
次に、第１及び第２ロッド部１，２に対して中間ロッド部３を回転操作する構造について説明する。
図１，２，３に示すように、中間ロッド部３の長手方向における第１ロッド部１側の端部において、中間ロッド部３の外周部分にリングギヤ部５が溶接によって固定され、操作部６がリングギヤ部５周りに回転自在に外嵌されており、中間ロッド部３の長手方向（図３の紙面左右方向）に沿った分割面で分割される第１部分７及び第２部分８によって、操作部６が構成されている。
【００２１】
図２，３，４に示すように操作部６の第１部分７は、リングギヤ部５に嵌まり込む半円状の凹部を備えた一対の支持板７ａ，７ｂ、一対の支持板７ａ，７ｂに亘って溶接によって固定された外側板７ｃ及び一対のフランジ板７ｄによって、構成されている。操作部６の第２部分８は、リングギヤ部５に嵌まり込む半リング状の一対のガイド部材８ａ、及び一対のガイド部材８ａに亘って溶接によって固定されたブランジ板８ｂによって構成されている。
【００２２】
図１，２，３に示す状態は第１部分７の支持板７ａ，７ｂ及び第２部分８のガイド部材８ａを、リングギヤ部５に嵌め込み、第１及び第２部分７，８のフランジ板７ｄ，８ｂを介してボルト９により、第１及び第２部分７，８を互いに連結している状態であり、この状態で、操作部６（第１及び第２部分７，８）がリングギヤ部５から外れることなく、リングギヤ部５周りに回転自在に外嵌される。図３に示す状態からボルト９を外すと、図４に示すように操作部６の第１及び第２部分７，８を分離させてリングギヤ部５から取り外すことができるのであり、これによってリングギヤ部５、操作部６の第１及び第２部分７，８、後述するラチェット爪１１の清掃等のメンテナンス作業を容易に行うことができる。
【００２３】
図２，３，４に示すように、第１部分７の支持板７ａ，７ｂに亘り支持ピン１０（中間ロッド部３の長手方向に沿う方向（図２の紙面左右方向））が固定されて、第１部分７の支持板７ａ，７ｂの間において支持ピン１０周りに、ラチェット爪１１が揺動自在に支持されている。ラチェット爪１１は一対の爪部１１ａ，１１ｂ、一対の操作アーム１１ｃ及び接当部１１ｄを備えて構成されており、ラチェット爪１１の操作アーム１１ｃが、第１部分７の支持板７ａ，７ｂから外方に突出している。板バネ１２が波型（図３及び図４参照）に曲げられて、第１部分７の支持板７ａ，７ｂの間に配置されており、板バネ１２の中央の凸部１２ａがラチェット爪１１の接当部１１ｄに直接に接当している。
【００２４】
図１及び図２に示すように、第１部分７において中間ロッド部３の長手方向における第２ロッド部２に向いた支持板７ａに、ブラケット１３が中間ロッド部３の長手方向における第２ロッド部２に向けて固定されており、ブラケット１３の支持ピン１４（中間ロッド部３の長手方向と直交する方向）に、操作ハンド部１５が揺動自在に支持されている。第２ロッド部２の連結金具２ａに固定された保持板１６が中間ロッド部３側に延出され、樹脂により半リング状に形成された保持部１７が保持板１６に固定されている。図１の二点鎖線及び図２の実線に示す状態は、操作ハンド部１５を中間ロッド部３の長手方向に沿った格納姿勢に設定し、操作ハンド部１５を保持部１７に嵌め込んで保持している状態である。
【００２５】
第１及び第２ロッド部１，２に対して中間ロッド部３を回転操作する場合、図１の実線及び図２の二点鎖線に示すように、操作ハンド部１５を保持部１７から外して、操作ハンド部１５を中間ロッド部３の長手方向と交差する外方に向いた操作姿勢に設定する。図３の実線に示す状態はラチェット爪１１の接当部１１ｄの紙面左側部分に、板バネ１２の凸部１２ａが接当している状態であり、板バネ１２の付勢力によってラチェット爪１１が、図３の紙面時計方向（ラチェット爪１１の爪部１１ａがリングギヤ部５に係合する側）に付勢されている。
【００２６】
以上の状態で図１及び図３に示すように、操作ハンド部１５を矢印Ｙ１の方向に操作し操作部６を矢印Ｙ１の方向に回転操作すると、ラチェット爪１１の爪部１１ａのリングギヤ部５への係合によって、操作部６と一緒にリングギヤ部５及び中間ロッド部３が矢印Ｙ１の方向に回転操作される。次に操作ハンド部１５を逆の矢印Ｙ２の方向に戻し操作し操作部６を矢印Ｙ２の方向に回転操作すると、板バネ１２の付勢力に抗して、ラチェット爪１１の爪部１１ａがリングギヤ部５から逃げて、リングギヤ部５及び中間ロッド部３は矢印Ｙ２の方向に回転操作されずに残る。このように図３の実線に示すようにラチェット爪１１の接当部１１ｄの紙面左側部分に板バネ１２の凸部１２ａを接当させている状態で、操作ハンド部１５を矢印Ｙ１，Ｙ２の方向に往復操作すると、リングギヤ部５及び中間ロッド部３が矢印Ｙ１の方向に回転操作される。
【００２７】
次にリングギヤ部５及び中間ロッド部３を矢印Ｙ２の方向に回転操作する場合には、ラチェット爪１１の操作アーム１１ｃを手で押し操作し、ラチェット爪１１の接当部１１ｄを板バネ１２の凸部１２ａを乗り越えさせて、図３の二点鎖線に示すようにラチェット爪１１の接当部１１ｄの紙面右側部分に、板バネ１２の凸部１２ａを接当させる。これにより、板バネ１２の付勢力によってラチェット爪１１が、図３の紙面反時計方向（ラチェット爪１１の爪部１１ｂがリングギヤ部５に係合する側）に付勢される。
【００２８】
以上の状態で図１及び図３に示すように、操作ハンド部１５を矢印Ｙ２の方向に操作し操作部６を矢印Ｙ２の方向に回転操作すると、ラチェット爪１１の爪部１１ｂのリングギヤ部５への係合によって、操作部６と一緒にリングギヤ部５及び中間ロッド部３が矢印Ｙ２の方向に回転操作される。次に操作ハンド部１５を逆の矢印Ｙ１の方向に戻し操作し操作部６を矢印Ｙ１の方向に回転操作すると、板バネ１２の付勢力に抗して、ラチェット爪１１の爪部１１ｂがリングギヤ部５から逃げて、リングギヤ部５及び中間ロッド部３は矢印Ｙ１の方向に回転操作されずに残る。このように図３の二点鎖線に示すようにラチェット爪１１の接当部１１ｄの紙面右側部分に板バネ１２の凸部１２ａを接当させている状態で、操作ハンド部１５を矢印Ｙ１，Ｙ２の方向に往復操作すると、リングギヤ部５及び中間ロッド部３が矢印Ｙ２の方向に回転操作される。
【００２９】
［発明の実施の第１別形態］
図１及び図２に示す保持板１６及び保持部１７を廃止し、図５に示すように線材を折り曲げて保持部１８を構成し、保持部１８を第２ロッド部２の連結金具２ａに溶接によって固定するように構成してもよい。これにより、保持部１８の折れ曲がった凹部１８ａに操作ハンド部１５を入れることによって、操作ハンド部１５を格納姿勢に保持する。
【００３０】
［発明の実施の第２別形態］
図１〜図５に示す構成では、第１部分７の支持板７ａ，７ｂの間（ラチェット爪１１の操作アーム１１ｃが突出する部分）に開口が形成されているので、第１部分７の支持板７ａ，７ｂの間にゴミ等が入り込み、リングギヤ部５やラチェット爪１１に付着するおそれがある。この場合に、図６に示すように第１部分７の支持板７ａ，７ｂの間に、スポンジやゴム等の弾性材製のカバー１９を取り付けて、第１部分７の支持板７ａ，７ｂの間にゴミ等が入り込まないように構成してもよい。又、操作部６の全体を覆うゴム製で防水機能を備えたカバー（図示せず）を備えてもよく、この場合にはカバーの上側からラチェット爪１１の操作アーム１１ｃを操作する。
【００３１】
［発明の実施の第３別形態］
図１〜図５に示す構成において、リングギヤ部５及び操作部６を中間ロッド部３の長手方向における第２ロッド部２側の端部に設け、第１部分７において中間ロッド部３の長手方向における第１ロッド部１に向いた支持板７ｂに、ブラケット１３を中間ロッド部３の長手方向における第１ロッド部１に向けて固定してもよい。この場合、保持板１６及び保持部１７（図５に示す保持部１８）を、第１ロッド部１の連結金具１ａに固定する。
【００３２】
図１〜図５に示す構成において、リングギヤ部５及び操作部６を中間ロッド部３の長手方向における中間に設け、第１部分７において中間ロッド部３の長手方向における第１ロッド部１に向いた支持板７ｂに、ブラケット１３を中間ロッド部３の長手方向における第１ロッド部１に向けて固定してもよい。この場合、保持板１６及び保持部１７（図５に示す保持部１８）を、第１ロッド部１の連結金具１ａに固定する。
逆に、リングギヤ部５及び操作部６を中間ロッド部３の長手方向における中間に設け、第１部分７において中間ロッド部３の長手方向における第２ロッド部２に向いた支持板７ａに、ブラケット１３を中間ロッド部３の長手方向における第２ロッド部２に向けて固定してもよい。この場合、保持板１６及び保持部１７（図５に示す保持部１８）を、第２ロッド部２の連結金具２ａに固定する。
【００３３】
【発明の効果】
請求項１の特徴によると、第１及び第２ロッド部、中間ロッド部を備えて構成された伸縮ロッドにおいて、中間ロッド部の外周部分に固定されたリングギヤ部の部分に操作部を回転自在に外嵌した場合、操作部においてラチェット爪と操作ハンド部の基部とが中間ロッド部の長手方向に沿って並ぶように構成し、操作ハンド部の基部が中間ロッド部から半径方向の外方に突出すると言うような状態を避けることにより、伸縮ロッドの操作部の小型化を図ることができた。
【００３４】
請求項１の特徴によると、操作部においてラチェット爪と操作ハンド部の基部とが中間ロッド部の長手方向に沿って並ぶように構成することによって、操作ハンド部を中間ロッド部の長手方向に沿った格納姿勢に変更した際、操作ハンド部の全体を中間ロッド部（又は第１ロッド部、又は第２ロッド部）に接近させることができて、操作ハンド部を格納姿勢に設定した際の伸縮ロッド（及び操作ハンド部）の小型化を図ることができた。
このように伸縮ロッドの操作部の小型化、及び操作ハンド部を格納姿勢に設定した際の伸縮ロッド（及び操作ハンド部）の小型化を図ることができれば、移動する部分に伸縮ロッドを接続しても、伸縮ロッドの操作部や操作ハンド部が他の部分に接触するおそれが小さくなるので、その分だけ伸縮ロッドを接続する部分の制約が少なくなり、伸縮ロッドの汎用性を高めることができた。
【００３５】
請求項１の特徴によると、操作ハンド部を格納姿勢に設定した場合、操作ハンド部の全体が中間ロッド部に接近した状態となり、操作ハンド部が中間ロッド部の長手方向の範囲に入る状態になるか、操作ハンド部が中間ロッド部の長手方向の範囲から出ても操作ハンド部が大きく出る状態にはならないので、操作ハンド部を格納姿勢に設定した際の伸縮ロッド（及び操作ハンド部）の小型化をさらに図ることができて、伸縮ロッドの汎用性をさらに高めることができた。
【００３６】
請求項２の特徴によると、請求項１の場合と同様に前述の請求項１の「発明の効果」を備えており、この「発明の効果」に加えて以下のような「発明の効果」を備えている。
請求項２の特徴によると、格納姿勢の操作ハンド部を保持部に保持させておくことにより、操作ハンド部が格納姿勢から操作姿勢側に動くと言うような状態を防止することができるようになって、操作ハンド部が格納姿勢から操作姿勢側に不用意に動くことにより、操作ハンド部が他の部分に接触する状態を防止することができた。
【００３７】
請求項３の特徴によると、請求項１又は２の場合と同様に請求項１、２の「発明の効果」を備えており、この「発明の効果」に加えて以下のような「発明の効果」を備えている。
請求項３の特徴によると、操作部のラチェット爪をリングギヤ部への係合側に付勢するバネを操作部に備える場合、バネを薄く配置の為に大きなスペースを必要としない板バネによって構成することにより、伸縮ロッドの操作部の大型化を抑えることができて、伸縮ロッドの汎用性をさらに高めることができた。
【００３８】
請求項４の特徴によると、請求項３の場合と同様に前述の請求項３の「発明の効果」を備えており、この「発明の効果」に加えて以下のような「発明の効果」を備えている。
請求項４の特徴によると、操作部のラチェット爪をリングギヤ部への係合側に付勢するバネを、板バネによって構成した場合、バネ（板バネ）をラチェット爪に直接に接当させることにより、バネ（板バネ）とラチェット爪とを連係するような連係部材を備える必要がなくなるので、伸縮ロッドの操作部の小型化を図ることができて、伸縮ロッドの汎用性をさらに高めることができた。
【００３９】
請求項５の特徴によると、請求項１〜４のうちのいずれか一つの場合と同様に請求項１〜４の「発明の効果」を備えており、この「発明の効果」に加えて以下のような「発明の効果」を備えている。
請求項５の特徴によると、操作部を中間ロッド部の長手方向に沿った分割面で連結及び分離自在に構成することにより、中間ロッド部から操作部を容易に離すことができ、操作部及びリングギヤ部付近のメンテナンス作業が楽に行えるようになって、伸縮ロッドのメンテナンス性を向上させることができた。
【００４０】
請求項６の特徴によると、請求項１〜５のうちのいずれか一つの場合と同様に請求項１〜５の「発明の効果」を備えており、この「発明の効果」に加えて以下のような「発明の効果」を備えている。
請求項６の特徴によると、リングギヤ部及びラチェット爪へのゴミ等の付着を防止するカバーを備えることにより、リングギヤ部やラチェット爪にゴミ等が付着して、操作ハンド部による中間ロッド部の回転操作に支障を来すと言う状態が防止されるようになって、伸縮ロッドの作業性及び耐久性を向上させることができた。
【図面の簡単な説明】
【図１】  伸縮ロッドの全体斜視図
【図２】  伸縮ロッドの縦断側面図
【図３】  伸縮ロッドの操作部付近の縦断正面図
【図４】  伸縮ロッドの操作部付近を分解した状態を示す縦断正面図
【図５】  発明の実施の第１別形態での伸縮ロッドの全体斜視図
【図６】  発明の実施の第２別形態での伸縮ロッドの操作部付近の縦断正面図
【符号の説明】
１          第１ロッド部
１ｃ        第１ロッド部の第１雄ネジ
２          第２ロッド部
２          第２ロッド部の第２雄ネジ
３          中間ロッド部
３ａ        中間ロッド部の第１雌ネジ
３ｂ        中間ロッド部の第２雌ネジ
５          リングギヤ部
６          操作部
７ａ        操作部の部分
１０        操作部の軸芯
１１        ラチェット爪
１２        バネ、板バネ
１５        操作ハンド部
１７，１８  保持部
１９        カバー
【図１】
0003897491.tif 000002
【図２】
0003897491.tif 000003
【図３】
0003897491.tif 000004
【図４】
0003897491.tif 000005
【図５】
0003897491.tif 000006
【図６】
0003897491.tif 000007